(57)【要約】【課題】外光の影響に起因する誤作動を防止することが可能な通信光検知器を提供する。【解決手段】通信光検知用アダプタ１０１を介して伝送されている通信光１０２の一部が取り出されてなる漏洩光１０３を受光して通信光検知用アダプタ１０１を介して通信光１０２が伝送されているか否かを検知する通信光検知器１００において、漏洩光１０３を受光するための受光素子１０４と、漏洩光１０３のみを受光素子１０４に向けて通過させる光フィルタ１０５と、を備えるものである。【選択図】図１
2015219492.tif 000002
【特許請求の範囲】
【請求項１】
通信光検知用アダプタを介して伝送されている通信光の一部が取り出されてなる漏洩光を受光して前記通信光検知用アダプタを介して前記通信光が伝送されているか否かを検知する通信光検知器において、
前記漏洩光を受光するための受光素子と、
前記漏洩光のみを前記受光素子に向けて通過させる光フィルタと、
を備えることを特徴とする通信光検知器。
【請求項２】
前記光フィルタは、波長が８５０ｎｍ以上１５５０ｎｍ以下の光のみを前記受光素子に向けて通過させる請求項１に記載の通信光検知器。
【請求項３】
前記光フィルタは、誘電体多層膜からなる請求項１又は２に記載の通信光検知器。
【発明の詳細な説明】
【技術分野】
【０００１】
本発明は、通信光を検知して光伝送路の使用／不使用の状態を目視で確認するための通信光検知器に関する。
【背景技術】
【０００２】
光通信関連設備では、光伝送路の健全性を監視したり、人為的なコネクタの誤抜を防止したりするために、不可視光領域にある通信光を検知して光伝送路の使用／不使用の状態（以下、通信状態という）を確認している。
【０００３】
光伝送路の通信状態を確認する際には、光取出孔が形成されたアダプタ（以下、通信光検知用アダプタという）に着脱自在に取り付けられ、通信光検知用アダプタを介して伝送されている通信光の一部が取り出されてなる漏洩光を光取出孔を通じて受光して通信光検知用アダプタを介して通信光が伝送されているか否かを検知し、人間が目視で確認することができる形態で光伝送路の通信状態を出力するための通信光検知器が使用されている（例えば、特許文献１から特許文献４を参照）。
【先行技術文献】
【特許文献】
【０００４】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【特許文献５】特開２０１３−２２８６７８号公報
【発明の概要】
【発明が解決しようとする課題】
【０００５】
ところで、通信光検知器を使用して光伝送路の通信状態を確認する際には、通信光の一部を漏洩光として取り出す必要があるが、漏洩光の取り出しに伴う伝送損失の発生を出来る限り抑制することが要求されている。
【０００６】
この要求を満たすためには、たとえ漏洩光の光強度が低くても、通信光が伝送されているか否かを通信光検知器で検知することができるように、通信光検知器に搭載された受光素子として、受光面積が広く高感度の受光素子を採用する必要がある。
【０００７】
しかしながら、高感度の受光素子を採用すると、受光素子が屋外の太陽光や室内の蛍光灯等の外光をも受光してしまい、純粋に漏洩光のみを受光することが困難となり、通信光が伝送されていないのにも拘わらず、通信光が伝送されていると検知する等、誤作動を生じる虞がある。
【０００８】
そこで、本発明の目的は、外光の影響に起因する誤作動を防止することが可能な通信光検知器を提供することにある。
【課題を解決するための手段】
【０００９】
この目的を達成するために創案された本発明は、通信光検知用アダプタを介して伝送されている通信光の一部が取り出されてなる漏洩光を受光して前記通信光検知用アダプタを介して前記通信光が伝送されているか否かを検知する通信光検知器において、前記漏洩光を受光するための受光素子と、前記漏洩光のみを前記受光素子に向けて通過させる光フィルタと、を備える通信光検知器である。
【００１０】
前記光フィルタは、波長が８５０ｎｍ以上１５５０ｎｍ以下の光のみを前記受光素子に向けて通過させると良い。
【００１１】
前記光フィルタは、誘電体多層膜からなると良い。
【発明の効果】
【００１２】
本発明によれば、外光の影響に起因する誤作動を防止することが可能な通信光検知器を提供することができる。
【図面の簡単な説明】
【００１３】
【図１】本発明に係る通信光検知器を示す概略断面図である。
【発明を実施するための形態】
【００１４】
以下、本発明の好適な実施の形態を添付図面にしたがって説明する。
【００１５】
図１に示すように、本発明の好適な実施の形態に係る通信光検知器１００は、通信光検知用アダプタ１０１を介して伝送されている通信光１０２の一部が取り出されてなる漏洩光１０３を受光して通信光検知用アダプタ１０１を介して通信光１０２が伝送されているか否かを検知するものであり、漏洩光１０３を受光するための受光素子１０４と、漏洩光１０３のみを受光素子１０４に向けて通過させる光フィルタ１０５と、を備えている。
【００１６】
通信光検知用アダプタ１０１は、端部に光透過性のフェルール１０６が取り付けられた第１の光ファイバ１０７と第２の光ファイバ１０８とを光学的に接続して光伝送路１０９を構成するものであり、光伝送路１０９の途中に形成されている光取出部１１０を通じて通信光１０２の一部を漏洩光１０３として取り出す光取出孔１１１を有している。
【００１７】
光取出部１１０は、例えば、特許文献１から特許文献３に記載された光検知用溝や特許文献５に記載された軸ズレ部等の公知の構造からなるが、本明細書では詳細な説明を省略する。
【００１８】
光取出孔１１１は、通信光検知器１００が通信光検知用アダプタ１０１に取り付けられたときに、通信光検知器１００に搭載された受光素子１０４が外光を受光して光伝送路１０９の通信状態を正確に確認することができなくなることを防止すべく、受光素子１０４を嵌着することにより、受光素子１０４に外光が到達することを抑制しているが、受光素子１０４と光取出孔１１１との間には僅かながら隙間があり、受光素子１０４が外光を受光することを完全に防ぐことは難しい。
【００１９】
受光素子１０４は、光取出孔１１１に対向して開口された缶体１１２と、缶体１１２に収容された受光部１１３と、を有する缶型フォトダイオードからなることが好ましい。缶型フォトダイオードは、受光部１１３が光フィルタ１０５により封止されているため、受光部１１３が粉塵や湿気等の影響で損傷を受けることが殆ど無く、また受光部１１３が樹脂等により封止されている通常のフォトダイオードと比較して熱的な影響を受け難いため、種々のフォトダイオードの中でも最も優れた信頼性を有しているからである。
【００２０】
光フィルタ１０５は、波長が８５０ｎｍ以上１５５０ｎｍ以下の光のみ、即ち漏洩光１０３のみを受光素子１０４に向けて通過させるものであり、例えば、誘電体多層膜からなる。誘電体多層膜は、誘電体膜を積層したものであり、任意の光学特性を容易に実現することができ、また再現性も良いため、量産性に優れている。
【００２１】
以上の通り、通信光検知器１００によれば、漏洩光１０３のみを受光素子１０４に向けて通過させる光フィルタ１０５を備えているため、受光部１１３を外光から遮光し、受光部１１３で漏洩光１０３のみを確実に受光することができ、外光の影響に起因する誤作動を防止し、光伝送路１０９の通信状態を高精度に確認することが可能となる。
【符号の説明】
【００２２】
１００  通信光検知器
１０１  通信光検知用アダプタ
１０２  通信光
１０３  漏洩光
１０４  受光素子
１０５  光フィルタ
１０６  フェルール
１０７  第１の光ファイバ
１０８  第２の光ファイバ
１０９  光伝送路
１１０  光取出部
１１１  光取出孔
１１２  缶体
１１３  受光部
【図１】
2015219492.tif 000003